【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
イントラ符号化及びインター符号化によって画像データを符号化する画像符号化装置であって、
前記画像データにおける各ピクチャを第１のブロック単位で符号化する符号化手段と、
前記画像データにおける各ピクチャを複数の第２のブロックに分割し、前記第２のブロック毎にピクチャ間の輝度変化を検出することによって、前記輝度変化の影響を受けた第２のブロックを特定する輝度変化検出手段と、
前記輝度変化検出手段によって特定された第２のブロックの位置に対応する前記第１のブロックに対しては、前記符号化手段による符号化の際に割当てる符号量を増やすようにする符号量調整手段とを有することを特徴とする画像符号化装置。
【請求項２】
前記輝度変化検出手段は、第１のピクチャに含まれる画素値の合計値と第２のピクチャに含まれる画素値の合計値との差分絶対値和を評価値として算出する評価値算出手段を有し、前記評価値算出手段により前記第２のブロック毎に前記評価値を算出することによって、前記第２のブロック毎の輝度変化を検出することを特徴とする請求項１に記載の画像符号化装置。
【請求項３】
前記符号量調整手段は、レート制御手段と、量子化係数設定手段とを有し、
前記量子化係数設定手段は、前記レート制御手段によって決定された目標符号量に従って、前記第１のブロック毎に量子化係数を設定するものであって、前記輝度変化検出手段によって特定された第２のブロックの位置に対応する前記第１のブロックに対しては、前記量子化係数がより小さくなるように補正した値を設定することを特徴とする請求項１または２に記載の画像符号化装置。
【請求項４】
前記輝度変化がフラッシュによるものである場合、前記輝度変化検出手段は、ピクチャ内で前記フラッシュの影響を受けている第２のブロックと、前記フラッシュの影響を受けていない第２のブロックとを判別することを特徴とする請求項１乃至３のいずれか１項に記載の画像符号化装置。
【請求項５】
イントラ符号化及びインター符号化によって画像データを符号化する画像符号化方法であって、
前記画像データにおける各ピクチャを第１のブロック単位で符号化する符号化工程と、
前記画像データにおける各ピクチャを複数の第２のブロックに分割し、前記第２のブロック毎にピクチャ間の輝度変化を検出することによって、前記輝度変化の影響を受けた第２のブロックを特定する輝度変化検出工程と、
前記輝度変化検出工程において特定された第２のブロックの位置に対応する前記第１のブロックに対しては、前記符号化工程における符号化の際に割当てる符号量を増やすようにする符号量調整工程とを有することを特徴とする画像符号化方法。
【請求項６】
イントラ符号化及びインター符号化によって画像データを符号化する画像符号化方法をコンピュータに実行させるプログラムであって、
前記画像データにおける各ピクチャを第１のブロック単位で符号化する符号化工程と、
前記画像データにおける各ピクチャを複数の第２のブロックに分割し、前記第２のブロック毎にピクチャ間の輝度変化を検出することによって、前記輝度変化の影響を受けた第２のブロックを特定する輝度変化検出工程と、
前記輝度変化検出工程において特定された第２のブロックの位置に対応する前記第１のブロックに対しては、前記符号化工程における符号化の際に割当てる符号量を増やすようにする符号量調整工程とを有することを特徴とするプログラム。
【請求項７】
イントラ符号化及びインター符号化によって画像データを符号化する画像符号化方法をコンピュータに実行させるプログラムを記憶したコンピュータ読み取り可能な記憶媒体であって、
前記画像データにおける各ピクチャを第１のブロック単位で符号化する符号化工程と、
前記画像データにおける各ピクチャを複数の第２のブロックに分割し、前記第２のブロック毎にピクチャ間の輝度変化を検出することによって、前記輝度変化の影響を受けた第２のブロックを特定する輝度変化検出工程と、
前記輝度変化検出工程において特定された第２のブロックの位置に対応する前記第１のブロックに対しては、前記符号化工程における符号化の際に割当てる符号量を増やすようにする符号量調整工程とを有するプログラムを記憶したことを特徴とするコンピュータ読み取り可能な記憶媒体。
【手続補正２】
【補正対象書類名】明細書
【補正対象項目名】０００９
【補正方法】変更
【補正の内容】
【０００９】
上述の目的は、イントラ符号化及びインター符号化によって画像データを符号化する画像符号化装置であって、前記画像データにおける各ピクチャを第１のブロック単位で符号化する符号化手段と、前記画像データにおける各ピクチャを複数の第２のブロックに分割し、前記第２のブロック毎にピクチャ間の輝度変化を検出することによって、前記輝度変化の影響を受けた第２のブロックを特定する輝度変化検出手段と、前記輝度変化検出手段によって特定された第２のブロックの位置に対応する前記第１のブロックに対しては、前記符号化手段による符号化の際に割当てる符号量を増やすようにする符号量調整手段とを有することを特徴とする画像符号化装置によって達成される。
【手続補正３】
【補正対象書類名】明細書
【補正対象項目名】００１０
【補正方法】変更
【補正の内容】
【００１０】
また、上述の目的は、イントラ符号化及びインター符号化によって画像データを符号化する画像符号化方法であって、前記画像データにおける各ピクチャを第１のブロック単位で符号化する符号化工程と、前記画像データにおける各ピクチャを複数の第２のブロックに分割し、前記第２のブロック毎にピクチャ間の輝度変化を検出することによって、前記輝度変化の影響を受けた第２のブロックを特定する輝度変化検出工程と、前記輝度変化検出工程において特定された第２のブロックの位置に対応する前記第１のブロックに対しては、前記符号化工程における符号化の際に割当てる符号量を増やすようにする符号量調整工程とを有することを特徴とする画像符号化方法によっても達成される。
【手続補正４】
【補正対象書類名】明細書
【補正対象項目名】００１１
【補正方法】変更
【補正の内容】
【００１１】
また、上述の目的は、イントラ符号化及びインター符号化によって画像データを符号化する画像符号化方法をコンピュータに実行させるプログラムであって、前記画像データにおける各ピクチャを第１のブロック単位で符号化する符号化工程と、前記画像データにおける各ピクチャを複数の第２のブロックに分割し、前記第２のブロック毎にピクチャ間の輝度変化を検出することによって、前記輝度変化の影響を受けた第２のブロックを特定する輝度変化検出工程と、前記輝度変化検出工程において特定された第２のブロックの位置に対応する前記第１のブロックに対しては、前記符号化工程における符号化の際に割当てる符号量を増やすようにする符号量調整工程とを有することを特徴とするプログラムによっても達成される。
【手続補正５】
【補正対象書類名】明細書
【補正対象項目名】００１２
【補正方法】変更
【補正の内容】
【００１２】
さらに、上述の目的は、イントラ符号化及びインター符号化によって画像データを符号化する画像符号化方法をコンピュータに実行させるプログラムを記憶したコンピュータ読み取り可能な記憶媒体であって、前記画像データにおける各ピクチャを第１のブロック単位で符号化する符号化工程と、前記画像データにおける各ピクチャを複数の第２のブロックに分割し、前記第２のブロック毎にピクチャ間の輝度変化を検出することによって、前記輝度変化の影響を受けた第２のブロックを特定する輝度変化検出工程と、前記輝度変化検出工程において特定された第２のブロックの位置に対応する前記第１のブロックに対しては、前記符号化工程における符号化の際に割当てる符号量を増やすようにする符号量調整工程とを有するプログラムを記憶したことを特徴とするコンピュータ読み取り可能な記憶媒体によっても達成される。